(57)【要約】      （修正有）【課題】情報表示する表示装置を有する携帯端末装置において、表示装置の使い勝手をさらに向上した携帯端末装置を提供する。【解決手段】第１の筐体２の面Ａには各種情報の表示を行う縦長形状の表示装置２ｂを設け、第２の筐体３の面Ｂの裏側である面Ｄには、デジタルカメラの表示画面及びデジタル放送の表示画面専用として横長形状の表示装置３ｄを設けた。【選択図】図１
2006345572.tif 000002
【特許請求の範囲】
【請求項１】
縦長形状の表示装置を設け、さらに横長形状の表示装置も設けたことを特徴とする携帯端末装置。
【請求項２】
該携帯端末装置に対する操作をユーザが入力する操作ボタン群の筐体裏外面または表外面に横長形状の表示装置を設けたことを特徴とする携帯端末装置。
【請求項３】
デジタル放送受信手段をさらに有し、前記横長形状の表示装置が前記デジタル放送受信手段によって受信したデジタル放送を映すものであることを特徴とする請求項１または２に記載の携帯端末装置。
【請求項４】
デジタル撮像する撮像手段をさらに有し、前記横長形状の表示装置が前記撮像手段によって検出している画像を表示するものであることを特徴とする請求項１または２に記載の携帯端末装置。
【発明の詳細な説明】
【技術分野】
【０００１】
本発明は携帯端末装置に関し、特に情報表示する表示装置を有する携帯端末装置に関する。
【背景技術】
【０００２】
従来、携帯端末装置の一例である携帯電話機は爆発的に普及し、多くの人が自分専用の携帯電話機を１台以上持っているほどまでになっている。
【０００３】
最近では、携帯電話機は、機種ごとに、通話機能以外にも様々な機能を提供し、たとえば表示装置は精細なカラー表示をすることができるまでになっているし、デジタル放送を視聴可能な機種の提供も開始されている。
【０００４】
たとえば特許文献１に記載の携帯端末では、デジタル放送を視聴する際のユーザの使い勝手を向上するために、折り畳み式の携帯電話機において、携帯電話機を閉じた状態用の表示手段と、開いた状態用の表示手段とを設けている。
【０００５】
【特許文献１】特開２００５−３３６４２号公報
【発明の開示】
【発明が解決しようとする課題】
【０００６】
ところが、特許文献１に記載のような従来の携帯端末においては、折り畳み式の携帯電話機の折り畳み状態がどの状態であってもデジタル放送を映す表示手段があるというのみであり、さらにその上の使い勝手の向上については検討されていないものであった。
【０００７】
本発明は上記の点にかんがみてなされたもので、情報表示する表示装置を有する携帯端末装置において、その使い勝手をさらに向上することを目的とする。
【課題を解決するための手段】
【０００８】
本発明は上記の目的を達成するために、縦長形状の表示装置を設け、さらに横長形状の表示装置も設けたことを特徴とする。
【０００９】
また本発明は、該携帯端末装置に対する操作をユーザが入力する操作ボタン群の筐体裏外面または表外面に横長形状の表示装置を設けたことを特徴とする。
【００１０】
また本発明は、請求項１または２に記載の携帯端末装置において、デジタル放送受信手段をさらに有し、前記横長形状の表示装置が前記デジタル放送受信手段によって受信したデジタル放送を映すものであることを特徴とする。
【００１１】
また本発明は、請求項１または２に記載の携帯端末装置において、デジタル撮像する撮像手段をさらに有し、前記横長形状の表示装置が前記撮像手段によって検出している画像を表示するものであることを特徴とする。
【発明の効果】
【００１２】
本発明によれば、情報表示する表示装置を有する携帯端末装置において、その使い勝手をさらに向上することができる。
【００１３】
すなわち、本発明によれば、従来よりも表示装置を増やし、縦長形状の表示装置に加えて横長形状の表示装置も設け、これを操作しやすく見やすい位置に設けたので、従来よりも使い勝手をさらに向上することができる。
【発明を実施するための最良の形態】
【００１４】
以下、本発明による実施の形態について図面を参照して説明する。
【００１５】
図１は、本発明による携帯端末装置の一例である携帯電話機の第１の実施の形態を示す図であり、（ａ）は携帯電話機を開いた状態で見た斜視図であり、（ｂ）は携帯電話機を閉じて一方から見た斜視図であり、（ｃ）は携帯電話機を閉じて（ｂ）とは別の方から見た斜視図である。
【００１６】
図１（ａ）、（ｂ）、（ｃ）に示すように、本実施の形態の携帯電話機１は、第１の筐体２と第２の筐体３とをヒンジ４にて接続し、ヒンジ４を回転軸として開閉可能に構成されている。
【００１７】
図１（ａ）に示すように、第１の筐体２の面Ａには、携帯電話機１で通話する際の受話部（図示せず）につながるスピーカ２ａや、携帯電話機１による各種情報の表示を行ったり、携帯電話機１をデジタルカメラとして用いるときの撮像素子（図示せず）で検出している画像を表示したり、デジタル放送を映し出す第１の表示装置２ｂが設けられ、側面には携帯電話機１をデジタルカメラとして用いる際のシャッタ２ｅが設けられている。
【００１８】
なお、デジタル放送とは、テレビ放送のほか、ＧＰＳによるナビゲーションを行う地図情報などを含むものである。
【００１９】
また、第２の筐体３の面Ｂには、携帯電話機１で通話する際の送話部（図示せず）につながるマイク３ａや、ユーザが携帯電話機１を操作する第１の操作ボタン群３ｂが設けられている。
【００２０】
また、図１（ｂ）に示すように、第１の筐体２の面Ａの裏側である面Ｃには、携帯電話機１による各種情報の表示を行う第２の表示装置２ｃや、携帯電話機１をデジタルカメラとして用いる際のカメラレンズ２ｄが設けられている。レンズ２ｄの後段にはｃｃｄ等の撮像素子が設けられている。
【００２１】
また、図１（ｃ）に示すように、第２の筐体３の面Ｂの裏側である面Ｄには、ユーザが携帯電話機１を操作する第２の操作ボタン群３ｃや、携帯電話機１による各種情報の表示を行ったり、携帯電話機１をデジタルカメラとして用いるときの撮像素子（図示せず）で検出している画像を表示したり、デジタル放送を映し出す第３の表示装置３ｄが設けられている。この第３の表示装置３ｄは、第１の操作ボタン群３ｂの筐体裏外面に設けられている。
【００２２】
第１の表示装置２ｂ、第２の表示装置２ｃ、第３の表示装置３ｄは、たとえばカラー表示の液晶パネルを用いることができるが、白黒表示でもよいし、液晶以外の表示装置を用いてもよい。第１の表示装置２ｂは操作時に縦長形状であり、第３の表示装置３ｄは横長形状である。
【００２３】
なお、ここでは、表示画面を縦長の状態にして正立映像を映すことを縦長形状といい、表示画面を横長の状態にして正立映像を映すことを横長形状という。
【００２４】
この例では、横長形状である第３の表示装置３ｄを、デジタルカメラの表示画面、デジタル放送の表示画面（地図情報の表示画面、テレビ放送の表示画面など）専用として設けている。
【００２５】
この図１（ａ）、（ｂ）、（ｃ）に示す携帯電話機１では、図１（ａ）に示す開いた状態で、ユーザが第１の操作ボタン群３ｂを操作して、電話機能を利用したり、ネットワーク接続してデータ通信機能（たとえばインターネット接続）を利用したり、デジタル放送を視聴したり、カメラ撮影をすることができる。
【００２６】
このとき、第１の表示装置２ｂには、時計情報であったり、電話機能やデータ通信機能に係る情報表示を行うことができる。また、デジタル放送を受信するデジタル放送受信手段（図示せず）を備え、これによって受信した映像を第１の表示装置２ｂに映し出すこともできる。さらに、第１の筐体２の面Ｃに設けたレンズ２ｄによるカメラ撮影画像を第１の表示装置２ｂに表示することもできる。
【００２７】
図１（ａ）に示す開いた状態でのレンズ２ｄによるカメラ撮影時のシャッタは、シャッタ２ｅを用いてもよいし、第１の操作ボタン群３ｂの中のひとつにその機能を持たせてもよい。
【００２８】
また、図１（ｂ）や図１（ｃ）に示す閉じた状態では、ユーザが第２の操作ボタン群３ｃを操作して、ネットワーク接続してデータ通信機能（たとえばインターネット接続）を利用したり、デジタル放送を視聴したり、カメラ撮影をすることができる。
【００２９】
このとき、第２の表示装置２ｃには、時計情報であったり、データ通信機能に係る情報表示を行うことができる。また、ユーザ自身をカメラ撮影する場合には、レンズ２ｄによるカメラ撮影画像を第２の表示装置２ｃに表示することもできる。
【００３０】
一方、第３の表示装置３ｄには、時計情報であったり、データ通信機能に係る情報表示を行うことができる。
【００３１】
また、デジタル放送を受信するデジタル放送受信手段（図示せず）を備え、これによって受信した映像を第３の表示装置３ｄに映し出すこともできる。この場合、ユーザは、第３の表示装置３ｄを横長の状態にして片手で操作しながらデジタル放送を見ることができ、使い勝手を向上することができる。
【００３２】
さらに、レンズ２ｄによるカメラ撮影画像を第３の表示装置３ｄに表示することもできる。この場合、ユーザは、携帯電話機１を、使い慣れたデジタルカメラと同じ形で操作することができ、使い勝手を向上することができる。シャッタ２ｅは、第１の筐体２に設けられ、ユーザの手の位置が不自然にならないようにしている。また、シャッタ２ｅは、後述の図２のシャッタ１２ｆのように、面Ｃの側にさらに張り出して設けるようにしてもよい。
【００３３】
なお、図１の例では、第１の筐体２の面Ｃに第２の表示装置２ｃおよびレンズ２ｄを設け、第２の筐体３の面Ｄ（操作ボタン群の筐体裏外面）に第３の表示装置３ｄおよび第２の操作ボタン群３ｃを設け、さらに第１の筐体２の側面にシャッタ２ｅを設けるようにしたが、本発明はこれに限られるものではなく、第１の筐体２の面Ｃ（操作ボタン群の筐体表外面）に第３の表示装置３ｄおよび第２の操作ボタン群３ｃを設け、第２の筐体３の面Ｄに第２の表示装置２ｃおよびレンズ２ｄを設け、さらに第２の筐体３の側面にシャッタ２ｅを設けるようにしても、同様の機能を得ることができる。
【００３４】
図２は、本発明による携帯端末装置の一例である携帯電話機の第２の実施の形態を示す図であり、（ａ）は携帯電話機の一方の面を見た斜視図であり、（ｂ）は携帯電話機の他方の面を見た斜視図である。
【００３５】
この図２の例は、技術進歩に伴なって装置を小型化可能になった場合や、機能を絞り込んで装置を小型化する場合に適用するものである。
【００３６】
図２（ａ）、（ｂ）に示すように、本実施の形態の携帯電話機１０は、筐体１２から構成されている。
【００３７】
図２（ａ）に示すように、筐体１２の面Ｅには、携帯電話機１０で通話する際の受話部（図示せず）につながるスピーカ１２ａや、携帯電話機１０で通話する際の送話部（図示せず）につながるマイク１２ｂや、携帯電話機１０による各種情報の表示を行ったり、携帯電話機１０をデジタルカメラとして用いるときの撮像素子（図示せず）で検出している画像を表示したり、デジタル放送を映し出す第１の表示装置１２ｃや、ユーザが携帯電話機１０を操作する第１の操作ボタン群１２ｄや、携帯電話機１０をデジタルカメラとして用いる際のカメラレンズ１２ｅが設けられ、側面には携帯電話機１０をデジタルカメラとして用いる際のシャッタ１２ｆが設けられている。レンズ１２ｅの後段にはｃｃｄ等の撮像素子が設けられている。
【００３８】
また、図２（ｂ）に示すように、筐体１２の面Ｅの裏側である面Ｆには、ユーザが携帯電話機１０を操作する第２の操作ボタン群１２ｇや、携帯電話機１０による各種情報の表示を行ったり、携帯電話機１０をデジタルカメラとして用いるときの撮像素子（図示せず）で検出している画像を表示したり、デジタル放送を映し出す第２の表示装置１２ｈが設けられている。この第２の表示装置１２ｈは、第１の操作ボタン群１２ｄの筐体裏外面に設けられている。
【００３９】
第１の表示装置１２ｃ、第２の表示装置１２ｈは、たとえばカラー表示の液晶パネルを用いることができるが、白黒表示でもよいし、液晶以外の表示装置を用いてもよい。
【００４０】
この例では、横長形状である第２の表示装置１２ｈを、デジタルカメラの表示画面、デジタル放送の表示画面（地図情報の表示画面、テレビ放送の表示画面など）専用として設けている。
【００４１】
この図２（ａ）、（ｂ）に示す携帯電話機１０では、ユーザが第１の操作ボタン群１２ｄを操作して、電話機能を利用したり、ネットワーク接続してデータ通信機能（たとえばインターネット接続）を利用したり、デジタル放送を視聴したり、カメラ撮影をすることができる。
【００４２】
このとき、第１の表示装置１２ｃには、時計情報であったり、電話機能やデータ通信機能に係る情報表示を行うことができる。また、デジタル放送を受信するデジタル放送受信手段（図示せず）を備え、これによって受信した映像を第１の表示装置１２ｃに映し出すこともできる。
【００４３】
さらに、ユーザ自身をカメラ撮影する場合には、筐体１２の面Ｅに設けたレンズ１２ｅによるカメラ撮影画像を第１の表示装置１２ｃに表示することもできる。図２（ａ）に示す状態でのレンズ１２ｅによるカメラ撮影時のシャッタは、シャッタ１２ｆを用いてもよいし、第１の操作ボタン群１２ｄの中のひとつにその機能を持たせてもよい。
【００４４】
また、携帯電話機１０では、ユーザが第２の操作ボタン群１２ｇを操作して、ネットワーク接続してデータ通信機能（たとえばインターネット接続）を利用したり、デジタル放送を視聴したり、カメラ撮影をすることができる。
【００４５】
このとき、第２の表示装置１２ｈには、時計情報であったり、データ通信機能に係る情報表示を行うことができる。
【００４６】
また、デジタル放送を受信するデジタル放送受信手段（図示せず）を備え、これによって受信した映像を第２の表示装置１２ｈに映し出すこともできる。この場合、ユーザは、第２の表示装置１２ｈを横長の状態にして片手で操作しながらデジタル放送を見ることができ、使い勝手を向上することができる。
【００４７】
さらに、レンズ１２ｅによるカメラ撮影画像を第２の表示装置１２ｈに表示することもできる。この場合、ユーザは、携帯電話機１０を、使い慣れたデジタルカメラと同じ形で操作することができ、使い勝手を向上することができる。シャッタ１２ｆは、面Ｅの側に張り出して設けられ、ユーザの手の位置が不自然にならないようにしている。
【００４８】
図３は、本発明による携帯端末装置の一例である携帯電話機の第３の実施の形態を示す図であり、（ａ）は携帯電話機を開いた状態で見た斜視図であり、（ｂ）は携帯電話機を閉じて一方から見た斜視図であり、（ｃ）は携帯電話機を閉じて（ｂ）とは別の方から見た斜視図である。
【００４９】
この図３の例は、携帯音楽プレーヤーなど装置の多機能化、高性能化などに対応して、筐体を増やす場合に適用するものである。
【００５０】
図３（ａ）、（ｂ）、（ｃ）に示すように、本実施の形態の携帯電話機１００は、第１の筐体１０２と第２の筐体１０３とをヒンジ１０４にて接続し、ヒンジ１０４を回転軸として開閉可能に構成され、且つ第２の筐体１０３と第３の筐体１０５とをヒンジ１０６にて接続し、ヒンジ１０６を回転軸として開閉可能に構成されている。
【００５１】
図３（ａ）に示すように、第１の筐体１０２の面Ｇには、携帯電話機１００で通話する際の受話部（図示せず）につながるスピーカ１０２ａや、携帯電話機１００による各種情報の表示を行ったり、携帯電話機１００をデジタルカメラとして用いるときの撮像素子（図示せず）で検出している画像を表示したり、デジタル放送を映し出す第１の表示装置１０２ｂが設けられ、側面には携帯電話機１００をデジタルカメラとして用いる際のシャッタ１０２ｅが設けられている。
【００５２】
また、第２の筐体１０３の面Ｈには、携帯電話機１００で通話する際の送話部（図示せず）につながるマイク１０３ａや、ユーザが携帯電話機１００を操作する第１の操作ボタン群１０３ｂが設けられている。
【００５３】
また、図３（ｂ）に示すように、第１の筐体１０２の面Ｇの裏側である面Ｉには、携帯電話機１００による各種情報の表示を行う第２の表示装置１０２ｃや、携帯電話機１００をデジタルカメラとして用いる際のカメラレンズ１０２ｄが設けられている。レンズ１０２ｄの後段にはｃｃｄ等の撮像素子が設けられている。
【００５４】
また、図３（ｃ）に示すように、第３の筐体１０５の面Ｊには、ユーザが携帯電話機１００を操作する第２の操作ボタン群１０５ａや、携帯電話機１００による各種情報の表示を行ったり、携帯電話機１００をデジタルカメラとして用いるときの撮像素子（図示せず）で検出している画像を表示したり、デジタル放送を映し出す第３の表示装置１０５ｂが設けられている。この第３の表示装置１０５ｂは、第１の操作ボタン群１０３ｂの筐体裏外面に設けられている。
【００５５】
第１の表示装置１０２ｂ、第２の表示装置１０２ｃ、第３の表示装置１０５ｂは、たとえばカラー表示の液晶パネルを用いることができるが、白黒表示でもよいし、液晶以外の表示装置を用いてもよい。第１の表示装置１０２ｂは操作時に縦長形状であり、第３の表示装置１０５ｂは横長形状である。
【００５６】
この例では、横長形状である第３の表示装置１０５ｂを、デジタルカメラの表示画面、デジタル放送の表示画面（地図情報の表示画面、テレビ放送の表示画面など）専用として設けている。
【００５７】
なお、図３（ａ）、（ｂ）、（ｃ）に示すように、携帯電話機１００を閉じたときに、第２の筐体１０３の面Ｈの裏側と第３の筐体１０５の面Ｊの裏側とが接するように構成され、ヒンジ１０６を回転軸として回動させることによって、これらの面を露出させることができる。これらの面には、バッテリの交換口や、各種ＩＣカード、メモリなどの収納口等を設けることができる。
【００５８】
この図３（ａ）、（ｂ）、（ｃ）に示す携帯電話機１００では、図３（ａ）に示す開いた状態で、ユーザが第１の操作ボタン群１０３ｂを操作して、電話機能を利用したり、ネットワーク接続してデータ通信機能（たとえばインターネット接続）を利用したり、デジタル放送を視聴したり、カメラ撮影をすることができる。
【００５９】
このとき、第１の表示装置１０２ｂには、時計情報であったり、電話機能やデータ通信機能に係る情報表示を行うことができる。また、デジタル放送を受信するデジタル放送受信手段（図示せず）を備え、これによって受信した映像を第１の表示装置１０２ｂに映し出すこともできる。さらに、第１の筐体１０２の面Ｉに設けたレンズ１０２ｄによるカメラ撮影画像を第１の表示装置１０２ｂに表示することもできる。
【００６０】
図３（ａ）に示す開いた状態でのレンズ１０２ｄによるカメラ撮影時のシャッタは、シャッタ１０２ｅを用いてもよいし、第１の操作ボタン群１０３ｂの中のひとつにその機能を持たせてもよい。
【００６１】
また、図３（ｂ）や図３（ｃ）に示す閉じた状態では、ユーザが第２の操作ボタン群１０５ａを操作して、ネットワーク接続してデータ通信機能（たとえばインターネット接続）を利用したり、デジタル放送を視聴したり、カメラ撮影をすることができる。
【００６２】
このとき、第２の表示装置１０２ｃには、時計情報であったり、データ通信機能に係る情報表示を行うことができる。また、ユーザ自身をカメラ撮影する場合には、レンズ１０２ｄによるカメラ撮影画像を第２の表示装置１０２ｃに表示することもできる。
【００６３】
一方、第３の表示装置１０５ｂには、時計情報であったり、データ通信機能に係る情報表示を行うことができる。
【００６４】
また、デジタル放送を受信するデジタル放送受信手段（図示せず）を備え、これによって受信した映像を第３の表示装置１０５ｂに映し出すこともできる。この場合、ユーザは、第３の表示装置１０５ｂを横長の状態にして片手で操作しながらデジタル放送を見ることができ、使い勝手を向上することができる。
【００６５】
さらに、レンズ１０２ｄによるカメラ撮影画像を第３の表示装置１０５ｂに表示することもできる。この場合、ユーザは、携帯電話機１００を、使い慣れたデジタルカメラと同じ形で操作することができ、使い勝手を向上することができる。シャッタ１０２ｅは、第１の筐体１０２に設けられ、ユーザの手の位置が不自然にならないようにしている。また、シャッタ１０２ｅは、図２のシャッタ１２ｆのように、面Ｉの側にさらに張り出して設けるようにしてもよい。
【００６６】
なお、上述の実施の形態では、筐体の数が１つの場合、２つの場合、３つの場合について説明したが、本発明はこれに限られるものではなく、筐体の数がいくつであってもかまわない。
【００６７】
また、図３の例では、第１の筐体１０２の面Ｉに第２の表示装置１０２ｃおよびレンズ１０２ｄを設け、第３の筐体１０５の面Ｊ（操作ボタン群の筐体裏外面）に第３の表示装置１０５ｂおよび第２の操作ボタン群１０５ａを設け、さらに第１の筐体１０２の側面にシャッタ１０２ｅを設けるようにしたが、本発明はこれに限られるものではなく、第１の筐体１０２の面Ｉ（操作ボタン群の筐体表外面）に第３の表示装置１０５ｂおよび第２の操作ボタン群１０５ａを設け、第３の筐体１０５の面Ｊに第２の表示装置１０２ｃおよびレンズ１０２ｄを設け、さらに第３の筐体１０５の側面にシャッタ１０２ｅを設けるようにしても、同様の機能を得ることができる。
【図面の簡単な説明】
【００６８】
【図１】本発明による携帯端末装置の一例である携帯電話機の第１の実施の形態を示す図であり、（ａ）は携帯電話機を開いた状態で見た斜視図であり、（ｂ）は携帯電話機を閉じて一方から見た斜視図であり、（ｃ）は携帯電話機を閉じて（ｂ）とは別の方から見た斜視図である。
【図２】本発明による携帯端末装置の一例である携帯電話機の第２の実施の形態を示す図であり、（ａ）は携帯電話機の一方の面を見た斜視図であり、（ｂ）は携帯電話機の他方の面を見た斜視図である。
【図３】本発明による携帯端末装置の一例である携帯電話機の第３の実施の形態を示す図であり、（ａ）は携帯電話機を開いた状態で見た斜視図であり、（ｂ）は携帯電話機を閉じて一方から見た斜視図であり、（ｃ）は携帯電話機を閉じて（ｂ）とは別の方から見た斜視図である。
【符号の説明】
【００６９】
１、１０、１００  携帯電話機
２  第１の筐体
２ａ  スピーカー
２ｂ  第１の表示装置
２ｃ  第２の表示装置
２ｄ  レンズ
２ｅ  シャッター
３  第２の筐体
３ａ  マイク
３ｂ  第１の操作ボタン群
３ｃ  第２の操作ボタン群
３ｄ  第３の表示装置
４  ヒンジ
１２  筐体
１２ａ  スピーカー
１２ｂ  マイク
１２ｃ  第１の表示装置
１２ｄ  第１の操作ボタン群
１２ｅ  レンズ
１２ｆ  シャッター
１２ｇ  第２の操作ボタン群
１２ｈ  第２の表示装置
１０２  第１の筐体
１０２ａ  スピーカー
１０２ｂ  第１の表示装置
１０２ｃ  第２の表示装置
１０２ｄ  レンズ
１０２ｅ  シャッター
１０３  第２の筐体
１０３ａ  マイク
１０３ｂ  第１の操作ボタン群
１０４  第１のヒンジ
１０５  第３の筐体
１０５ａ  第２の操作ボタン群
１０５ｂ  第３の表示装置
１０６  第２のヒンジ
【図１】
2006345572.tif 000003
【図２】
2006345572.tif 000004
【図３】
2006345572.tif 000005